(57)【要約】【課題】個人の等色関数の違いによる色の見えの変化を抑制する。【解決手段】画像表示装置は、発光する光の分光スペクトルを調整可能な発光手段と、前記発光手段から発せられた光を画像データに応じた透過率で透過させる表示パネルと、ユーザの等色関数を取得する取得手段と、前記ユーザの等色関数とあらかじめ定められた基準等色関数との差分に基づいて、前記発光手段から発光する光の分光スペクトルを調整する制御手段と、を備える。【選択図】図７
2014174361.tif 000002
【特許請求の範囲】
【請求項１】
発光する光の分光スペクトルを調整可能な発光手段と、
前記発光手段から発せられた光を画像データに応じた透過率で透過させる表示パネルと、
ユーザの等色関数を取得する取得手段と、
前記ユーザの等色関数とあらかじめ定められた基準等色関数との差分に基づいて、前記発光手段から発光する光の分光スペクトルを調整する制御手段と、
を備える画像表示装置。
【請求項２】
前記発光手段は、複数の色の光を発するものであり、少なくともいずれかの色について分光スペクトルの異なる第１および第２の光源を有しており、
前記制御手段は、あらかじめ定められた発光強度比率で前記第１および第２の光源から光を照射した場合に前記基準等色関数を用いて求められる刺激値と、調整後の発光強度比率で前記第１および第２の光源から光を照射した場合に前記ユーザの等色関数を用いて求められる刺激値とが略同一となるように、前記第１および第２の光源の発光強度比率を調整する、
請求項１に記載の画像表示装置。
【請求項３】
前記発光手段は、複数の色の光を発するものであり、少なくともいずれかの色について分光スペクトルの異なる第１および第２の光源を有しており、
前記制御手段は、前記少なくともいずれかの色について、前記ユーザの等色関数と前記基準等色関数のピーク波長のずれを算出し、当該色の分光スペクトルのピークが、あらかじめ定められた発光強度比率で前記第１および第２の光源から光を照射した場合のピークから、前記算出されたピーク波長のずれに応じた量だけシフトするように、前記発光強度比率を調整する、
請求項１に記載の画像表示装置。
【請求項４】
発光する光の分光スペクトルを調整可能な発光手段と、
前記発光手段から発せられた光を画像データに応じた透過率で透過させる表示パネルと、
複数のユーザの等色関数を取得する取得手段と、
前記複数のユーザの等色関数のばらつきを波長ごとに求め、ばらつきが小さい波長と前記発光手段から発する光の分光スペクトルのピーク波長が一致するように、前記分光スペクトルを調整する制御手段と、
を備える画像表示装置。
【請求項５】
前記発光手段は、複数の色の光を発するものであり、少なくともいずれかの色について分光スペクトルの異なる第１および第２の光源を有しており、
前記制御手段は、前記少なくともいずれかの色について、当該色に対してあらかじめ定められた所定の波長範囲の中から、前記ばらつきが小さい波長域を求める、
請求項４に記載の画像表示装置。
【請求項６】
ユーザ情報に応じた等色関数を記憶する記憶手段をさらに有し、
前記取得手段は、ユーザ情報の入力をユーザから受け付け、入力されたユーザ情報に対応する等色関数を前記記憶手段から取得する、
請求項１〜５のいずれか１項に記載の画像表示装置。
【請求項７】
前記ユーザ情報は、ユーザの年齢を含む、
請求項６に記載の画像表示装置。
【請求項８】
前記ユーザ情報は、ユーザが画像表示装置を見る際の距離である視距離を含む、
請求項６または７に記載の画像表示装置。
【請求項９】
前記取得手段は、ユーザの等色関数のグラフデータの入力を受け付ける、
請求項６に記載の画像表示装置。
【請求項１０】
前記発光手段は、複数の色の光を発するものであり、少なくともいずれかの色について分光スペクトルの異なる第１および第２の光源を有しており、
前記制御手段は、前記少なくともいずれかの色について、前記第１および第２の光源の発光強度比率を調整することにより、前記分光スペクトルを調整する、
請求項１〜９のいずれか１項に記載の画像表示装置。
【請求項１１】
前記発光手段は、それぞれが赤、緑、青の光を発する光源を有する第１および第２の光源群を有しており、
前記第１および第２の少なくともいずれかの光源群に含まれる光源は、ＬＥＤである、
請求項１〜１０のいずれか１項に記載の画像表示装置。
【請求項１２】
前記発光手段は、それぞれが赤、緑、青の光を発する光源を有する第１および第２の光源群を有しており、
前記第１および第２の少なくともいずれかの光源群に含まれる光源は、レーザー光源である、
請求項１〜１１のいずれか１項に記載の画像表示装置。
【請求項１３】
発光する光の分光スペクトルを調整可能な発光手段と、前記発光手段から発せられた光を画像データに応じた透過率で透過させる表示パネルとを備える画像表示装置の制御方法であって、
ユーザの等色関数を取得する取得ステップと、
前記ユーザの等色関数とあらかじめ定められた基準等色関数との差分に基づいて、前記発光手段から発光する光の分光スペクトルを制御する制御ステップと、
を含む、制御方法。
【請求項１４】
前記発光手段は、複数の色の光を発するものであり、少なくともいずれかの色について分光スペクトルの異なる第１および第２の光源を有しており、
前記制御ステップでは、あらかじめ定められた発光強度比率で前記第１および第２の光源から光を照射した場合に前記基準等色関数を用いて求められる刺激値と、調整後の発光強度比率で前記第１および第２の光源から光を照射した場合に前記ユーザの等色関数を用いて求められる刺激値とが略同一となるように、前記第１および第２の光源の発光強度比率を調整する、
請求項１３に記載の制御方法。
【請求項１５】
前記発光手段は、複数の色の光を発するものであり、少なくともいずれかの色について分光スペクトルの異なる第１および第２の光源を有しており、
前記制御ステップでは、前記少なくともいずれかの色について、前記ユーザの等色関数と前記基準等色関数のピーク波長のずれを算出し、当該色の分光スペクトルのピークが、あらかじめ定められた発光強度比率で前記第１および第２の光源から光を照射した場合のピークから、前記算出されたピーク波長のずれに応じた量だけシフトするように、前記発光強度比率を調整する、
請求項１３に記載の制御方法。
【請求項１６】
発光する光の分光スペクトルを調整可能な発光手段と、前記発光手段から発せられた光を画像データに応じた透過率で透過させる表示パネルとを備える画像表示装置の制御方法であって、
複数のユーザの等色関数を取得する取得ステップと、
前記複数のユーザの等色関数のばらつきを波長ごとに求め、ばらつきが小さい波長域と前記発光手段から発する光の分光スペクトルのピーク波長が一致するように、前記分光スペクトルを調整する制御ステップと、
を含む、制御方法。
【請求項１７】
前記発光手段は、複数の色の光を発するものであり、少なくともいずれかの色について分光スペクトルの異なる第１および第２の光源を有しており、
前記制御ステップでは、前記少なくともいずれかの色について、当該色に対してあらかじめ定められた所定の波長範囲の中から、前記ばらつきが小さい波長を求める、
請求項１６に記載の制御方法。
【請求項１８】
前記取得ステップは、ユーザ情報の入力をユーザから受け付け、入力されたユーザ情報に対応する等色関数を、複数のユーザ情報に応じた等色関数を記憶する記憶手段から取得する、
請求項１３〜１７のいずれか１項に記載の制御方法。
【請求項１９】
前記ユーザ情報は、ユーザの年齢を含む、
請求項１８に記載の制御方法。
【請求項２０】
前記ユーザ情報は、ユーザが画像表示装置を見る際の距離である視距離を含む、
請求項１８または１９に記載の制御方法。
【請求項２１】
前記取得ステップでは、ユーザの等色関数のグラフデータの入力を受け付ける、
請求項１８に記載の制御方法。
【請求項２２】
前記発光手段は、複数の色の光を発するものであり、少なくともいずれかの色について分光スペクトルの異なる第１および第２の光源を有しており、
前記制御ステップでは、前記少なくともいずれかの色について、前記第１および第２の光源の発光強度比率を調整することにより、前記分光スペクトルを調整する、
請求項１３〜２１のいずれか１項に記載の制御方法。
【請求項２３】
前記発光手段は、それぞれが赤、緑、青の光を発する光源を有する第１および第２の光源群を有しており、
前記第１および第２の少なくともいずれかの光源群に含まれる光源は、ＬＥＤである、
請求項１３〜２２のいずれか１項に記載の制御方法。
【請求項２４】
前記発光手段は、それぞれが赤、緑、青の光を発する光源を有する第１および第２の光源群を有しており、
前記第１および第２の少なくともいずれかの光源群に含まれる光源は、レーザー光源である、
請求項１３〜２３のいずれか１項に記載の制御方法。
【発明の詳細な説明】
【技術分野】
【０００１】
本発明は、画像表示装置及びその制御方法に関し、特に、個人差による色の見えの変化を低減可能な画像表示装置及びその制御方法に関する。
【背景技術】
【０００２】
カラーマネジメントディスプレイのような業務用ディスプレイにおいて、ディスプレイの個体差や劣化による色ずれを修正し正確に色を表示するための、色校正（キャリブレーション）と呼ばれる色調整機能を搭載する機種が存在する。このような色を正確に表示するカラーマネジメントディスプレイを利用して、印刷結果をディスプレイ上で色校正して確認するソフトプルーフがある。最近では、ディスプレイの色再現性、色正確性、精細度が向上して、最終的な印刷の仕上がりをディスプレイ上でシミュレーションするソフトプルーフが実用的になってきた。
【０００３】
印刷物やディスプレイなどを見て人が色を感じる際には、目に投影される観察対象物の大きさ（視角）によって、色の感じ方が異なることが知られている。例えば、同じ色だが異なる大きさの２つの色票を観察者が見た場合、２つの色票の色が異なるように感じる。この現象は「色の面積効果」と呼ばれている。その原因は、目の視細胞感度、すなわち分光視感度特性（等色関数とも呼ばれる）が視角に応じて変化することであると考えられている。人が感じる色（刺激値）は、対象物の分光スペクトルと等色関数の乗算により決定される。異なる大きさの色票を見た場合は等色関数が変化するため、これらの色票が同じ色であっても、観測者が感じる色は異なる。
【０００４】
国際照明委員会（略称ＣＩＥ）は、視角が２度の場合の等色関数（ＣＩＥ１９３７標準観測者）と、１０度の場合の等色関数（ＣＩＥ１９６４補助標準観測者）の２つを定義している。そこで、一般的に、２度視野で見る場合と１０度視野で見る場合のそれぞれについて、ディスプレイの色再現をキャリブレーションして色の見えの違いを低減する方法がある。特許文献１には、ＲＧＢそれぞれについてピーク波長が異なる複数のＬＥＤを用意し、その合成スペクトルを各色のスペクトルとすることで、色の変化を低減することが開示されている。２度視野および１０度視野の等色関数にしたがって、ＬＥＤの合成スペクトルを決定することで、色の面積効果による見えの違いを低減できる。
【先行技術文献】
【特許文献】
【０００５】
【特許文献１】特開２００６−２５３５０２号公報
【発明の概要】
【発明が解決しようとする課題】
【０００６】
ＣＩＥの定義する２度視野および１０度視野の等色関数は、複数の被験者の平均値（標準観測者の視角感度や色覚特性）に基づく。しかしながら、等色関数には個人差も存在し、人によって色の見えが一致しない可能性がある。したがって、上述のような色調整技術だけでは個人差による色の見えの違いを効果的に低減することは困難である。
【０００７】
上記のような課題を考慮して、本発明は、個人の等色関数の違いによる色の見えの変化を抑制する画像表示装置を提供することを目的とする。
【課題を解決するための手段】
【０００８】
本発明の第１の態様は、
発光する光の分光スペクトルを調整可能な発光手段と、
前記発光手段から発せられた光を画像データに応じた透過率で透過させる表示パネルと、
ユーザの等色関数を取得する取得手段と、
前記ユーザの等色関数とあらかじめ定められた基準等色関数との差分に基づいて、前記発光手段から発光する光の分光スペクトルを調整する制御手段と、
を備える画像表示装置である。
【０００９】
本発明の第２の態様は、
発光する光の分光スペクトルを調整可能な発光手段と、
前記発光手段から発せられた光を画像データに応じた透過率で透過させる表示パネルと、
複数のユーザの等色関数を取得する取得手段と、
前記複数のユーザの等色関数のばらつきを波長ごとに求め、ばらつきが小さい波長域と前記発光手段から発する光の分光スペクトルのピーク波長が一致するように、前記分光スペクトルを調整する制御手段と、
を備える画像表示装置である。
【００１０】
本発明の第３の態様は、
発光する光の分光スペクトルを調整可能な発光手段と、前記発光手段から発せられた光を画像データに応じた透過率で透過させる表示パネルとを備える画像表示装置の表示制御方法であって、
ユーザの等色関数を取得する取得ステップと、
前記ユーザの等色関数とあらかじめ定められた基準等色関数との差分に基づいて、前記発光手段から発光する光の分光スペクトルを制御する制御ステップと、
を含む、制御方法である。
【００１１】
本発明の第４の態様は、
発光する光の分光スペクトルを調整可能な発光手段と、前記発光手段から発せられた光を画像データに応じた透過率で透過させる表示パネルとを備える画像表示装置の表示制御方法であって、
複数のユーザの等色関数を取得する取得ステップと、
前記複数のユーザの等色関数のばらつきを波長ごとに求め、ばらつきが小さい波長域と前記発光手段から発する光の分光スペクトルのピーク波長が一致するように、前記分光スペクトルを調整する制御ステップと、
を含む、制御方法である。
【発明の効果】
【００１２】
本発明によれば、等色関数の個人差による色のずれを低減することができる。
【図面の簡単な説明】
【００１３】
【図１】第１，第２実施形態の画像表示装置の構成を示すブロック図。
【図２】第１実施形態における処理フローを示す図。
【図３】第１実施形態におけるバックライト構成を示す図。
【図４】第１実施形態におけるユーザ情報設定ダイアログを示す図。
【図５】第１実施形態におけるＬＥＤの合成スペクトルを示す図。
【図６】第１実施形態における青色の分光スペクトルと等色関数を示す図。
【図７】第１実施形態における分光スペクトルの調整方法を説明する図。
【図８】第２実施形態における処理フローを示す図。
【図９】第２実施形態における２度視野と１０度視野の差を示す図。
【図１０】第２実施形態における調整前後のＬＥＤの分光スペクトルを示す図。
【図１１】２度視野と１０度視野の等色関数を示す図。
【図１２】人間が色を認識する仕組みを説明する図。
【発明を実施するための形態】
【００１４】
本発明の実施形態の説明の前に、ディスプレイに表示される色を人間が感じる仕組みと、それによって生じる問題について説明する。人間の目の視細胞には、赤緑青の色を感知する分光感度の異なる錐体細胞があり、人は脳の中で赤緑青として感じる大きさを足し合わせることで色を認識する。等エネルギースペクトルに対する目の赤緑青ごとの感度（スペクトル刺激値）の曲線を等色関数という。赤色の感度はｘ（λ）、緑色の感度はｙ（λ）、青色の感度はｚ（λ）である。２度視野と１０度視野の等色関数を図１１に示す。２度視野の等色関数は、ｘ２（λ）、ｙ２（λ）、ｚ２（λ）、１０度視野の等色関数は、ｘ１０（λ）、ｙ１０（λ）、ｚ１０（λ）である。最終的に、人が感じる色は等色関数ｘ（λ）、ｙ（λ）、ｚ（λ）から計算されるＣＩＥ  ＸＹＺ表色系の三刺激値で表わされる。ＸＹＺ刺激値のうち、Ｘは赤色に対する刺激量、Ｙは緑色に対する刺激量、Ｚは青色に対する刺激量である。図１２は、人が色を感じる仕組みを説明する図である。左上の図は、ＲＧＢのＬＥＤバックライトを有するディスプレイで白色の色票を表示したときの分光スペクトルｓ（λ）を示している。左下の図は、等色関数ｘ（λ）、ｙ（λ）、ｙ（λ）を示している。右側の３つの図は、人が感じる赤緑青の刺激量を示している。各刺激量は、分光スペクトルと等色関数を乗算したものを積分することにより求められる。今の場合、これらの刺激量を足し合わせると白色であると認識される。
【００１５】
２度視野のときのＸＹＺ算出式を数式１、１０度視野のときのＸＹＺ算出式を数式２に示す。ｋは係数である。
【数１】
2014174361.tif 000003
【数２】
2014174361.tif 000004
ＸＹＺとＸ’Ｙ’Ｚ’の値が大きく異なる場合は、ディスプレイに表示された色票を見たときに２度視野と１０度視野で異なる色として認識される。どの程度人の目に違って見えるかは、色差ΔＥによって表現される。ＣＩＥ  ＸＹＺをＣＩＥ  Ｌａｂ空間に変換して、ユークリッド距離を算出したものがΔＥである。ΔＥが１．２程度なら並べて同一色であると識別できる範囲である。
【００１６】
ところで、近年液晶ディスプレイのバックライトとしてＲＧＢのＬＥＤを用いる場合がある。ＲＧＢのＬＥＤを用いることで、冷陰極蛍光ランプ（ＣＣＦＬ）を用いる場合よりも広い色域が実現できるためである。ただし、ＲＧＢのＬＥＤでは、色の見えの違いが顕著になる。ＬＥＤの分光スペクトルは、図１２左上図に示すように局所的な波長域に急峻
なピーク波長がある形となっている。この急峻な分光スペクトルにより、等色関数が異なる場合に上記数式１，２で表される刺激量の変化が大きくなり、したがって、色差ΔＥが大きくなる場合があるためである。
【００１７】
等色関数が異なる理由の一つとして、視角が挙げられる。視角が異なると等色関数は変化する。したがって、同じ色票を見た場合でも観察距離によって見た目の色が変わってしまう。図１１に示すように、１０度の視角で色を見たときは、２度の視角で見たときよりも赤、緑、青ともに視細胞の感度が高くなっている。この等色関数の違いが、異なる視角で同じ色を見たときに色が異なって見える原因である。２度視野と１０度視野の等色関数の差分を波長域ごとに示したのが図９である。図９は、１０度視野の感度から２度視野の感度を引いた値を示したグラフである。例えば、青色の感度を示す等色関数では、４４０ｎｍ付近の波長域において２度視野と１０度視野での感度のずれが大きい。青色のＬＥＤの分光スペクトルのピーク波長が４４０ｎｍ付近にある場合には、この感度のずれの影響を大きく受けてしまう。
【００１８】
等色関数は、視角に応じて異なるだけでなく、さらに個人差もある。ＣＩＥが規定する２度視野、１０度視野の等色関数は、複数の被験者の平均値（標準観測者の視覚感度や色覚特性）によるものなので、各個人の等色関数はこれらの標準的な等色関数とは異なる場合がある。たとえば、年齢や性別などによって等色関数は異なる。複数の人の等色関数が異なる場合、同じ色の色票を見た場合であっても、色差ΔＥが大きくなる。色差ΔＥが大きくなると、色の見えが個人によって違って感じられる。上述のように、ＲＧＢのＬＥＤをバックライトとして用いる場合には、色の見えの違いが比較的顕著に表れる。このような色のずれは、ソフトプルーフのように、最終的な印刷の仕上がりをディスプレイ上でシミュレーションする場合の精度に影響する。
【００１９】
以下、等色関数の個人差による色のずれを低減することができる、本発明による画像表示装置及びその制御方法の実施形態について説明する。
【００２０】
＜第１の実施形態＞
本実施形態は、基準とは異なる等色関数をもつユーザが、一人でモニタを見るときに、平均的なユーザと色の見えが一致するように分光スペクトルを調整する実施形態である。このような個人差による色の変化を抑えるために、ユーザの等色関数を求め、ユーザの等色関数と基準となる等色関数の差分に基づいて、画像表示装置１００の分光スペクトルを調整する。ユーザの等色関数を求めるためには、ユーザが入力する年齢や視距離の情報から、そのユーザに適合する等色関数をデータベースから取得する。
【００２１】
《処理ブロック》
以下、本実施形態について、図面を用いて説明する。図１は、本実施形態に係る画像表示装置１００の構成の一例であり、画像表示装置１００、映像信号処理部１１０、バックライト制御部１２０、ＲＧＢ−ＬＥＤ（Ａ）１３０、ＲＧＢ−ＬＥＤ（Ｂ）１４０、液晶パネル１５０、ユーザ情報入力部１６０、データベース１７０、分光制御部１８０、分光型測色器１９０から構成される。画像表示装置１００は、カラーマネジメントディスプレイやマスターディスプレイのような、キャリブレーション機能を持ち、表示色の調整が可能な装置を想定している。
【００２２】
映像信号処理部１１０、バックライト制御部１２０、ユーザ情報入力部１６０、データベース１７０、分光制御部１８０は、ハードウェア回路によって実現されてもよいし、プロセッサ（ＭＰＵ，ＦＰＧＡ，ＤＳＰなど）とソフトウェアによって実現されてもよい。また、これらを組み合わせて実現してもよい。
【００２３】
（映像信号処理部１１０）
映像信号処理部１１０は、画像表示装置１００に入力されるＲＧＢの映像信号に対して信号処理を施して液晶パネル１５０に映像を出力する。施される信号処理は、例えば、ガンマ補正、色温度補正、色域補正、ムラ補正などである。これらの信号処理は、画像表示装置１００で正確な色を再現するキャリブレーションのために実施することが望ましい。例えば、ガンマ補正では、画像表示装置１００の表示特性がガンマ２．２になるように、１Ｄ−ＬＵＴ（ＬｏｏｋＵｐＴａｂｌｅ）でＲＧＢ信号ゲインを調整して、液晶パネル１５０の表示特性を補正する。色温度補正では、ＲＧＢ信号ゲインの比率を調整して、指定した色温度（５０００Ｋ）になるように補正する。色域補正では、ｓＲＧＢやＡｄｏｂｅＲＧＢなどの標準色域に一致するようにＲＧＢ信号ゲインを調整する。調整方法としては、３次元のＲＧＢの格子点から構成される３Ｄ−ＬＵＴ（ＬｏｏｋｕｐＴａｂｌｅ）によりＲＧＢの信号ゲインを補正して、標準色域に校正する処理を行う。ムラ補正は、液晶パネル１５０やバックライトの表示ムラを補正して、画面の色や明るさの均一になるようにする。以上のような信号処理を施してから、映像信号処理部１１０は液晶パネル１５０に映像を出力する。
【００２４】
（バックライト制御部１２０）
バックライト制御部１２０は、画像表示装置１００のバックライトであるＬＥＤを制御する処理ブロックであり、ＬＥＤに供給する電流を調整することで画像表示装置１００の輝度を調整する。ただし、電流のみによってＬＥＤの発光強度を微調整することが難しいため、バックライト制御部１２０はＬＥＤに一定の電流量を供給しながら、さらにＰＷＭ（ｐｕｌｓｅ ｗｉｄｔｈ ｍｏｄｕｌａｔｉｏｎ）出力値を制御することで輝度を調整する。ＰＷＭ出力値とは、単位時間あたりの発光割合（デューティー比）を示す値である。バックライト制御部１２０は、ＰＷＭ出力値によって決定される一定の周期でＬＥＤを点灯・消灯するパルス信号を生成して、各ＬＥＤに出力する。このような制御により、ＬＥＤの発光強度の微調整が可能である。
【００２５】
（ＲＧＢ−ＬＥＤ）
次にバックライト制御部１２０が制御するＬＥＤについて説明する。画像表示装置１００のバックライトには、赤緑青の各色２つずつ、計６種類のＬＥＤから構成される。ＬＥＤの構成例を図３（Ａ）に示す。このように、バックライトは、赤色についてＲ１，Ｒ２、緑色についてＧ１，Ｇ２、青色についてＢ１，Ｂ２を含む。なお、図３（Ａ）に示す配置方法は一例にすぎず、その他任意の配置方法を採用して構わない。ここで、Ｒ１，Ｇ１，Ｂ１から構成されるＬＥＤ（第１の光源群）を、ＲＧＢ−ＬＥＤ（Ａ）１３０と称する。また、Ｒ２，Ｇ２，Ｂ２から構成されるＬＥＤ（第２の光源群）を、ＲＧＢ−ＬＥＤ（Ｂ）１４０と称する。各ＬＥＤの分光スペクトルを図３（Ｂ）に示す。このように、画像表示装置１００のバックライトにおける第１の光源と第２の光源は、ピーク波長（分光スペクトル）が異なるように設計されている。すなわち、バックライトは、赤緑青のそれぞれの色について、ピーク波長が異なる第１および第２の２つの光源を有している。各色のバックライトが、それぞれ、分光スペクトルを調整可能な発光手段に相当する。
【００２６】
赤色に着目すると、Ｒ１およびＲ２のＬＥＤはいずれも波長６３０ｎｍ付近にピークを有するが、Ｒ１よりもＲ２の方がピーク波長が長い。後述するように、バックライト制御部１２０がＲ１およびＲ２の発光強度を調整することにより、分光スペクトルのピーク波長をシフトさせる。シフトさせる量は、ユーザの等色関数によって定まる。したがって、必要なピーク波長が実現できるようにＲ１およびＲ２のＬＥＤのピーク波長を決定することが望ましい。Ｒ１およびＲ２のＬＥＤのピーク波長をλＲ１、λＲ２とすると、各ＬＥＤの強度を調整することで、λＲ１〜λＲ２の任意の波長にピークを設定することができる。ここでは、赤色ＬＥＤについて説明したが、緑色ＬＥＤ  Ｇ１，Ｇ２および青色ＬＥＤ  Ｂ１，Ｂ２についても同様である。
【００２７】
なお、本実施形態では、ＲＧＢの３原色の加法混色により色を再現する画像装置を例にするためバックライトの光源としてＲＧＢ−ＬＥＤを採用している。しかしながら、黄色やシアンなどを加えた４原色を用いる画像表示装置では、各原色を発光する光源を用いるとよい。
【００２８】
（液晶パネル１５０）
液晶パネル１５０は、電圧によって光の透過率を変えられる表示パネルである。液晶パネル１５０は自ら発光するのではなく、液晶パネル１５０の裏側に配置されたバックライトから照射された光の透過率を画像信号（画像データ）に応じて制御することによって映像を表示する。液晶パネル１５０には、赤緑青のカラーフィルタが取り付けられており、透過光を３原色に分けることで、加法混色方式によりカラー表示する。緑色を表示する場合には、緑の画素だけ光が透過させ、赤青の画素の光を遮断する。また、黒色を表示する場合には、全ての画素の透過光を遮断することで再現する。なお、液晶パネル以外にも画像信号に応じて透過率を変更可能な表示パネルであれば、任意の表示パネルを採用可能である。
【００２９】
（ユーザ情報入力部１６０）
ユーザ情報入力部１６０は、ディスプレイを使用するユーザの情報を入力する処理ブロックである。ユーザ情報入力部１６０は、ディスプレイ上に設けられたボタンやスイッチなどの入力手段あるいはリモートコントローラを介して、ユーザからの情報を受け付ける。情報の入力形式として、画像表示装置１００の画面上に入力ダイアログを表示して、ユーザに情報を入力してもらう構成とする。ユーザが入力する情報は、本実施形態においては、ユーザの年齢と画像表示装置１００を見るときの視距離（ユーザと画像表示装置の間の距離）とする。ユーザ情報を設定するダイアログの例を図４に示す。
【００３０】
（データベース１７０）
画像表示装置１００は、ユーザが入力した年齢と視距離に対応する等色関数を取得するためのデータベース１７０を備えている。データベース１７０は、入力された年齢と視距離に応じた等色関数を出力するような構成となっている。等色関数は個人ごとに異なることが分かっており、年齢や視距離によって変化することが知られている。ＣＩＥ１７０−１：２００６に年齢別の２度視野の錐体分光感度の変動が記載されている。年齢に伴う等色関数の変化として、色を感じる視細胞は生後から感度が急激に上昇し、２０歳前後をピークに緩やかに感度が低下するという変化がある。また，高齢になると短波長領域の可視光が吸収されやすくなり、短波長領域における感度が低下するという変化がある。また、他の要因によっても等色関数は異なり、様々な観点から研究が進められている。本実施形態においては、年齢と視距離による等色関数の変化に注目して、等色関数を管理するデータベース１７０には、年齢や視距離に紐づいた等色関数を記憶する。
【００３１】
（分光制御部１８０）
分光制御部１８０は、正確な色が再現できるようにキャリブレーションする一連の処理を担う。具体的には、ユーザ情報入力部１６０から設定された年齢と視距離に基づき、データベース１７０からユーザの等色関数を取得する。分光制御部１８０はさらに、ユーザの等色関数と基準等色関数との差分に基づいてバックライトの分光スペクトルと映像信号処理部１１０に対する信号ゲインを調整する。キャリブレーション処理の詳細は後述する。
分光制御部１８０は、ユーザの等色関数を取得する取得手段として機能し、また、バックライトの分光スペクトルを調整する制御手段としても機能する。
【００３２】
（分光型測色器１９０）
分光型測色器１９０は、分光スペクトルの調整と信号ゲインの調整をするためのセンサである。分光型測色器１９０は、画像表示装置１００に表示された色を測定し、分光形式でデータを出力する分光輝度計である。分光型測色器１９０に入射した光は、内部の回折格子により分光され、波長ごとの光強度を測定することできる。例えば、分光型測色器１９０の測定範囲は３８０ｎｍ〜７２０ｎｍであり、分解能は１ｎｍである。分光型測色器１９０は、ＵＳＢケーブル等で画像表示装置１００と通信可能に接続されており、分光制御部１８０が測定した分光データを取得できる構成となっている。分光制御部１８０は、測定した分光データと等色関数を掛け合わせることでＸＹＺ刺激値を算出することができる。
【００３３】
≪処理動作フロー≫
次に、画像表示装置１００においてユーザの情報に基づいて色調整する処理動作フローについて、図２のフローチャートを参照しながら説明する。
【００３４】
ステップＳ２０１では、ユーザが色調整するためのユーザ情報を設定する。ユーザ情報入力部１６０は、ユーザ情報の設定処理が開始されると、図４に示すようなユーザ情報設定のダイアログをＯＳＤ（Ｏｎ−Ｓｃｒｅｅｎ−Ｄｉｓｐｌａｙ）として表示する。なお、画像表示装置１００の本体にはボタン等が設けられており、ユーザがそのボタンを操作することでＯＳＤダイアログの表示（設定処理の開始）や、ユーザ情報の設定が行える。本実施形態での設定項目は、ユーザの年齢と視距離としている。すなわち、本実施形態では、ユーザの年齢と視距離に基づいて、ユーザの等色関数を取得する構成としている。ユーザ情報として入力するべき項目は、等色関数に影響を与えるパラメータであれば、上記以外のものを採用してもよい。例えば、国籍や性別などのパラメータを追加してもよい。
【００３５】
ステップＳ２０２で、ユーザ情報入力部１６０は、ユーザが入力した年齢と視距離の情報を分光制御部１８０に送る。分光制御部１８０は、年齢と視距離に対応する等色関数をデータベース１７０から取得する。ユーザの年齢と視距離に一致する等色関数がデータベース１７０内に存在しない場合は、最も類似する年齢や視距離に対応する等色関数を取得してもよいし、類似する年齢や視距離に対応する複数の等色関数から補間処理により算出してもよい。さらに、分光制御部１８０はＣＩＥで定義された基準となる等色関数をデータベース１７０から取得する。基準とする等色関数は、ＣＩＥ１９３７標準観測者で定義されている２度視野等色関数とした。以降、ユーザ情報に基づく等色関数をユーザ等色関数と表記し、基準とする２度視野の等色関数を基準等色関数と表記する。
【００３６】
ステップＳ２０３は、ユーザ等色関数と基準等色関数とのずれに基づく画像表示装置１００の分光スペクトルの調整処理である。分光スペクトルを調整する方法としては、複数のＬＥＤから発せられる光を合成することにより行う方法が挙げられる。画像表示装置１００のバックライトにはＲＧＢごとに、異なる分光スペクトル（ピーク波長）のＬＥＤがそれぞれ２種類ずつ設けられている。分光制御部１８０が同色の異なる分光スペクトルのＬＥＤの発光強度比率を変えることにより、当該色の分光スペクトルのピーク波長をシフトさせる。例えば、青色については、Ｂ１とＢ２の分光スペクトルが異なる２種類のＬＥＤが設けられている。ここで、Ｂ１とＢ２の発光強度比率を変化させることで、これらの合成スペクトルを変化させてピーク波長をシフトすることができる。
【００３７】
分光スペクトルの合成について図５を参照して説明する。図５に示す分光スペクトルは、ＬＥＤ（Ａ）１３０に含まれる青色ＬＥＤ  Ｂ１のスペクトル５０１と、ＬＥＤ（Ｂ）１４０に含まれる青色ＬＥＤ  Ｂ２のスペクトル５０２、さらにそれらを合成した分光スペクトル５０３である。合成スペクトルのピーク波長を高波長側にシフトする場合には、短波長側に波長ピークのある青色ＬＥＤ  Ｂ１の光強度を減少させ、長波長側に波長ピークのある青色ＬＥＤ  Ｂ２の光強度を増加させる。合成スペクトルのピーク波長をシフト
させた後、バックライト制御部１２０は所定の輝度になるように、ＬＥＤの光強度の比率を一定に保った状態で、青色ＬＥＤ（Ａ）５０１、青色ＬＥＤ（Ｂ）５０２のＰＷＭ出力値を増減する。このようにして画像表示装置１００の分光スペクトルを制御することができる。
【００３８】
ユーザ等色関数が基準等色関数と異なる場合の調整処理を、図６を参照して詳しく説明する。ここでは、青色ＬＥＤの分光スペクトルを調整して色差を低減する動作に着目して説明する。図６（Ａ）に青色ＬＥＤ  Ｂ１の分光スペクトル６０３を示し、図６（Ｂ）に基準等色関数６０１およびユーザ等色関数６０２を示す。この例では、ユーザ等色関数６０２は基準等色関数６０１に対して高波長側にシフトしている。ここでは、３ｎｍ高波長側にシフトしているとする。次に、図７に、青色ＬＥＤ  Ｂ１だけを発光したときの分光スペクトルＳｂ（λ）と青色の等色関数ｚ（λ）を示す。図７（Ａ）は、分光スペクトルＳｂ（λ）６０３と基準等色関数６０１、およびこれらを掛け合わせた積分値７０１を示す。図７（Ｂ）は分光スペクトルＳｂ（λ）６０３と基準等色関数６０１に対して高波長側にシフトしているユーザ等色関数６０２、およびこれらを掛け合わせた積分値７０２を示す。図７（Ｃ）は調整後の分光スペクトルＳ’ｂ（λ）７０４とユーザ等色関数６０２、およびこれらを掛け合わせた積分値７０３である。図７を参照すると、ユーザ等色関数６０２が基準等色関数６０１に対して高波長側にシフトすることにより、図７（Ｂ）に示すように積分値７０２が積分値７０１と異なることがわかる。この積分値の違いが、色の違いとして人間に認識されてしまう。そこで、等色関数のピーク波長のずれに合わせて、画像表示装置１００の分光スペクトルのピーク波長を調整することによって、ユーザごとの等色関数の違いにより生じる色の違いを抑えることができる。基準等色関数とユーザ等色関数のずれ量に応じた量だけ分光スペクトルのピーク波長をシフトさせることで、図７（Ｃ）に示すように積分値７０３を基準の積分値７０１と略同一にすることができる。等色関数のピーク波長のずれと同じ量（この例では＋３ｎｍ）だけ分光スペクトルのピーク波長をシフトさせることで、積分値７０３を積分値７０１と略同一にすることができる。
【００３９】
なお、上記の説明では、青色ＬＥＤ  Ｂ１のみを発光させた場合を基準として、等色関数のずれに応じた調整を行うために青色ＬＥＤ  Ｂ２を発光させているが、必ずしもこのようにする必要は無い。例えば、ＬＥＤ  Ｂ１とＢ２を所定の発光強度比率（例えば、１対１）で発光させた場合を基準としてもよい。すなわち、ユーザ（ユーザ等色関数に対応）の感じる色が、Ｂ１およびＢ２をこの所定の比率で発光させたときに基準ユーザ（基準等色関数に対応）が感じる色と同じになるように、Ｂ１およびＢ２の発光強度比率を調整すればよい。このようにすれば、分光スペクトルのピーク波長を長波長側にも短波長側にもシフトさせられる。
【００４０】
次にステップＳ２０４で、分光制御部１８０は、分光スペクトルの調整結果を検証するために、色票を分光型測色器１９０にて測定して色差ΔＥを求める。まず、分光制御部１８０は、映像信号処理部１１０に対して色票を表示するように要求する。映像信号処理部１１０は、赤色、緑色、青色、白色の色票を液晶パネル１５０に表示する。そして、分光制御部１８０は、分光型測色器１９０で各色票の分光データＳ（λ）を取得する。
【００４１】
ステップＳ２０５では、分光制御部１８０は、このようにして取得した各色票の分光データに基づいて、平均的なユーザとの色の見えの違い、つまり基準等色関数とユーザ等色関数における色差を算出する。分光制御部１８０は、測定した分光データＳ（λ）にユーザ等色関数を適用したときのＸＹＺ刺激値と、基準等色関数を適用したときの赤、緑、青の色票それぞれのＸ′Ｙ′Ｚ′刺激値を算出する。数式３はＸＹＺ刺激値の算出式であり、数式４はＸ’Ｙ’Ｚ’刺激値の算出式である。ここで、ｘｕｓｅｒ（λ）、ｙｕｓｅｒ（λ）、ｚｕｓｅｒ（λ）はユーザ等色関数、ｘｂａｓｅ（λ）、ｙｂａｓｅ（λ）、ｚｂａｓｅ（λ）は基準等色関数である。
【数３】
2014174361.tif 000005
【数４】
2014174361.tif 000006
【００４２】
ステップＳ２０６では、これらの刺激値から求めた色差ΔＥが閾値以上であればＳ２０３の処理に戻り分光スペクトルの調整量、例えばシフトさせる波長（ｎｍ）を変えて再度分光スペクトルを調整する。色差ΔＥが閾値よりも小さければ分光スペクトルの調整を完了してＳ２０７のキャリブレーション処理に進む。例えば閾値とする色差をΔＥ＝２．０としたとき、ΔＥ＝１．３ならＳ２０７の処理に進む。このように、色差ΔＥが閾値よりも小さくなるように、分光スペクトルの調整と検証を繰り返すが、数回以上繰り返しても閾値を下回らない場合には、数回試行した中で最も色差が小さい調整値として、Ｓ２０７に進む。なお、２度目以降に行う分光スペクトルの調整処理は、ピーク波長（２種類のＬＥＤの発光強度比率）を適宜変えればよい。検証処理を行うのは、分光スペクトルの調整を高精度に行うことは困難であるためである。また、ユーザ等色関数は基準等色関数を単純にシフトさせたものとは限らないので、等色関数のピークの違いと一致する量だけ分光スペクトルのピークをシフトさせても必ずしも色差が無くなるとは限らないためである。そこで、調整と検証を繰り返すことにより色差が許容範囲内となる分光スペクトルを実現する。
【００４３】
このように画像表示装置１００の分光スペクトルを調整したのち、ステップＳ２０７において、分光制御部１８０は、より正確な色を再現できるようにＲＧＢ信号のゲイン調整によりキャリブレーションする。キャリブレーションでは、分光制御部１８０は画像表示装置１００に複数の色票を表示して、分光型測色器１９０で分光スペクトルを測定する。測定した分光スペクトルとユーザ等色関数の積分値から、それぞれＸＹＺ刺激値を算出して、得られたＸＹＺ刺激値がキャリブレーション目標とする値と一致するように、ＲＧＢ映像信号のゲインを調整して液晶パネル１５０に出力する。ここでいうキャリブレーション目標とは、色域や色温度、ガンマ、輝度のことである。分光制御部１８０は、色票から算出したＸＹＺ刺激値を映像信号処理部１１０に出力して、映像信号処理部１１０がＲＧＢ映像信号のゲイン調整を行う。
【００４４】
以上のように、画像表示装置１００の表示色をキャリブレーションする。本実施形態によれば、個人によって等色関数が異なることに起因する色の見えの変化を低減することができ、より安定した色を表示することが可能となる。したがって、ソフトプルーフなどにおいてより正確な確認ができる。
【００４５】
＜変形例＞
上記の説明では、年齢のようなユーザ情報を入力して等色関数を設定したが、ユーザに
応じた等色関数が得られればその他任意の方法を採用可能である。たとえば、各ユーザのユーザ情報を、ユーザＩＤや生体情報（顔画像、指紋、光彩など）などと関連づけて記憶しておき、ユーザから取得するユーザＩＤや生体情報に基づいて、ユーザ情報の取得を行ってもよい。また、ユーザの顔を撮影し、顔認証技術により年齢、性別などの情報を推定してもよい。同様に、ユーザの視距離も画像処理や測距センサなどにより取得してもよい。また、ユーザの等色関数を測定して、厳密な等色関数が取得できる場合には等色関数のデータを直接入力してもよい。たとえば、等色関数のグラフデータを直接入力することが考えられる。あるいは、ユーザの等色関数をユーザＩＤや生体情報と関連づけてあらかじめ記憶しておき、ユーザから取得するユーザＩＤや生体情報に基づいてユーザの等色関数を取得してもよい。
【００４６】
また、バックライトの光源としてＬＥＤと、より分光スペクトルの半値幅の狭いレーザー光源を組み合わせてもよい。この他にも、バックライトとして白色ＬＥＤやＣＣＦＬ（冷陰極ランプ）も採用可能である。すなわち、第１および第２の少なくともいずれかに含まれる光源群を、ＲＧＢ−ＬＥＤやレーザー光源、白色ＬＥＤ、ＣＣＦＬ等とすることができる。このような場合も、分光スペクトルの調整、検証を繰り返して色差が小さくなるように制御することで個人差による色の見えの違いを抑制できる。また、上記の説明では、２種類のバックライトを組み合わせる例を説明したが、分光スペクトルが異なる３種類以上のバックライト（光源群）を組み合わせて、それらの発光強度比率を制御するようにしても構わない。
【００４７】
また、上記の説明では、複数の色（赤緑青）の全てについて、分光スペクトルの調整を行うものとしたが、一部の色のみについて分光スペクトルの調整を行うようにしてもよい。たとえば、個人差による色の見えの違いが顕著な色（たとえば、青）のみの分光スペクトルを調整するようにしてもよい。この場合、調整の対象としない色については、分光スペクトルの異なる複数のバックライト（ＬＥＤなど）は不要であり、一種類のみのバックライトがあれば十分である。なお、光源が発する色の組合せは、必ずしも赤緑青の組合せに限る必要は無く、これらに黄色やシアンを加えた４色の組合せや、その他任意の複数の色の組合せとしてもよい。
【００４８】
また、分光スペクトルを変化させるためには、必ずしも分光スペクトルの異なる複数の光源を用いる必要は無い。出力する光の分光スペクトルが可変な光源であれば任意の光源を採用することができる。たとえば、出力する光の波長が可変な波長可変ＬＥＤや波長可変レーザーなどを光源として採用することが考えられる。この場合、バックライト制御部は、光源の出力波長を制御することによって、出力する光の分光スペクトルを制御すればよい。
【００４９】
また、本実施形態では分光スペクトルを調整した後に、色票を測定して色差が許容範囲内にあることを検証するような構成としたが、高精度に調整可能な場合は、分光スペクトルの調整回数を１回としてＳ２０４〜Ｓ２０６の検証ステップを省略してもよい。
【００５０】
また、本実施形態では、ユーザ等色関数と基準等色関数のピークの差を算出して、その差に応じてバックライトの分光スペクトルのピークをシフトさせているが、これは調整方法の一例にすぎない。等色関数の違いによる色差（ΔＥ）を抑制できれば、任意の方法で調整してよい。たとえば、バックライトの分光スペクトルを適当に複数回変化させて測定および検証を行い、色差ΔＥが閾値以内となるようなバックライトの分光スペクトルを選択してもよい。また、分光スペクトルのピーク波長をずらすだけでなく、ＬＥＤの発光強度を変化させてもよい。分光スペクトル強度を変化させることによって、刺激値が変化するためである。すなわち、調整後の分光スペクトルとユーザ等色関数の積の積分値（数式３）が、標準の分光スペクトルと基準等色関数の積の積分値（数式４）と略同一となるよ
うにバックライトの分光スペクトルを調整すればよい。
【００５１】
また、上記の説明では、液晶ディスプレイを例に説明を行ったが、発光部と、発光部の発した光を画像信号に応じた透過率で透過させることによって画像表示を行う装置であれば、任意の装置に本発明を適用することができる。
【００５２】
＜第２の実施形態＞
第２の実施形態では、複数のユーザが同時に同じモニタを見るときに、ユーザ間の色の見えの違いを低減する。第２の実施形態における画像表示装置の処理ブロックは、第１の実施形態と同様であるため、各処理ブロックの説明は省略する。以下では、本実施形態における処理動作フローについて、図８を参照しながら説明する。
【００５３】
≪処理動作フロー≫
まず、ステップＳ８０１において、複数人のユーザの情報を設定する。ユーザ情報入力部１６０は、画像表示装置１００のＯＳＤにユーザごとの年齢と視距離を入力するダイアログを表示する。ここでは、二人のユーザが同時に同じモニタを見る場合を例に説明する。この場合、ユーザＡ、ユーザＢの二人のユーザ情報を入力する。ユーザＡとユーザＢの年齢はともに同じ２０代とし、ユーザＡの視距離を５０ｃｍ、ユーザＢの視距離を１００ｃｍとする。人の色の知覚は、個人差によるずれの他に視覚（見る対象の大きさ）が変わることによって色が変化することが知られている。第２の実施形態では、平均的な等色関数を有する複数のユーザが異なる視距離で画像表示装置１００を見る場合に、色の見えの違いを低減する処理を例とする。
【００５４】
ステップＳ８０２で、ユーザ情報入力部１６０は、ユーザが入力した年齢と視距離の情報を分光制御部１８０に送る。分光制御部１８０は、複数人分の年齢と視距離に一致する等色関数をデータベース１７０から取得する。ユーザＡの等色関数が２度視野で、ユーザＢの等色関数が１０度視野とする。図１１に２度視野と１０度視野の等色関数を示す。ユーザの設定した情報から等色関数を決定する処理の詳細は、第１の実施形態と同様である。
【００５５】
ステップＳ８０３では、分光制御部１８０は、ユーザＡとユーザＢの等色関数のずれを波長ごとに求める。等色関数のずれを示したのが図である。図９は、赤緑青の色ごとにユーザＢの１０度視野の等色関数から、ユーザＡの２度視野の等色関数を引いた差分値Δｘ（λ）、Δｙ（λ）、Δｚ（λ）を波長ごとにプロットしたものである。ある波長における１０度視野と２度視野の等色関数の差分を示したものが数式５である。従って、図１１に示す２度視野と１０度視野の等色関数から、波長ごとに差分を求めてグラフとして表したものが図９となる。
【数５】
2014174361.tif 000007
【００５６】
本実施形態では、差が小さい（ずれの少ない、あるいはばらつきの小さいともいえる）波長域にＬＥＤのピーク波長を合わせることで、ユーザ間の等色関数のずれによる影響を低減する。図９を参照すると、赤色の感度であるΔｘ（λ）は、６４０ｎｍ波長付近の差が小さい。緑色の感度であるΔｙ（λ）は５５０ｎｍ波長付近の差が小さい。青色の感度
であるΔｚ（λ）は４７０ｎｍ波長付近の差が小さい。つまり、これらの波長域とＬＥＤのピーク波長を一致させるように次項の処理で分光スペクトルを調整する。また、ユーザが３人以上いる場合は、波長ごとにΔｘ（λ）、Δｙ（λ）、Δｚ（λ）の分散（ばらつき）を求めて、赤緑青それぞれについてばらつきが小さい波長域を算出する。なおここで、ばらつきの小さい波長域とは、赤緑青のそれぞれの色についてあらかじめ定められた所定の波長範囲内においてばらつきが小さい波長域を意味する。たとえば、赤色であれば、６４０ｎｍ付近の数ｎｍ〜数十ｎｍの波長域内でばらつきが小さい波長域を意味する。換言すれば、赤色ＬＥＤ  Ｒ１，Ｒ２を用いて調整可能な波長域内でばらつきが小さい波長域のことである。
【００５７】
ステップＳ８０４では、分光制御部１８０は、ユーザ等色関数の差分、つまり２度視野と１０度視野の等色関数の差に基づいて画像表示装置１００の分光スペクトルを調整する。分光スペクトルを調整するために、分光制御部１８０は、同色の異なる分光スペクトルのＬＥＤの光強度の発光比率を変えて、合成スペクトルとすることで各色の分光スペクトルのピーク波長をユーザ等色関数の差分の小さい波長域にシフトさせる。差分（分散）が小さい波長域に合成スペクトルのピークがあるように調整することで、ユーザ間の色の見えの差が小さくなる。従って、図９に示す例の場合は、赤色の合成スペクトルの波長ピークを６４０ｎｍ付近、緑色の合成スペクトルの波長ピークを５５０ｎｍ付近、青色の合成スペクトルの波長ピークを４７０ｎｍ付近にシフトさせる。図１０に、ユーザＡとユーザＢの色の見えの差を積分として示す。この積分（面積）が小さいほどユーザ間で同じ色に見るということである。図１０には、合成スペクトルを調整する前と調整後の色ごとに示している。両者を比較してみると、調整後は色の見えの差が小さくなっているのがわかる。
【００５８】
分光制御部１８０は、合成スペクトルのピーク波長を調整したあと、バックライト制御部１２０は所定の輝度になるように、ＬＥＤの光強度の比率を一定に保った状態でＰＷＭ出力値を調整する。
【００５９】
ステップＳ８０５では、次に分光制御部１８０は、分光スペクトルの調整結果を検証するために、色票を分光型測色器１９０にて測定して色差ΔＥを求める。まず、分光制御部１８０は、映像信号処理部１１０に対して色票を表示するように要求する。映像信号処理部１１０は、赤色、緑色、青色、白色の色票を液晶パネル１５０に表示する。そして、分光制御部１８０は、分光型測色器１９０で各色票の分光データＳ（λ）を取得する。
【００６０】
ステップＳ８０６では、分光制御部１８０は、このようにして取得した各色票の分光データＳ（λ）を取得して、等色関数を用いてユーザ同士の色の見えの違い、つまりユーザ間の色差を算出する。分光制御部１８０は、この分光データＳ（λ）にユーザＡ、ユーザＢの複数人数の等色関数を適用したときのＸＹＺ刺激値からユーザ間の色差を求める。つまり、ユーザＡとユーザＢの色差ΔＥ（Ａ−Ｂ）を算出する。
【００６１】
ステップＳ８０７では、第１の実施形態と同様に、色差ΔＥ（Ａ−Ｂ）の最大値が閾値以上であればＳ８０３の処理に戻り分光スペクトルの調整、検証を繰り返す、閾値よりも小さければＳ８０８の処理に進みＲＧＢ信号ゲインによるキャリブレーションを行う。今回の例では、ユーザが二人の場合について説明したが、例えば、ユーザが３人いる場合は、ユーザＡとユーザＢの色差ΔＥ（Ａ−Ｂ）、ユーザＢとユーザＣの色差ΔＥ（Ｂ−Ｃ）、ユーザＡとユーザＣの色差ΔＥ（Ａ−Ｃ）のうち最大値を判断対象とする。
【００６２】
ステップＳ８０７では、このように画像表示装置１００の分光スペクトルと輝度を調整したのち、分光制御部１８０は、正確な色を再現できるように第１の実施形態と同様にキャリブレーションする。
【００６３】
以上のように、画像表示装置１００を見るユーザが複数であっても、ユーザ間の等色関数の差分（分散）が小さい波長域にＬＥＤの波長ピークをシフトさせることで、色の見えの差を低減することができる。
【００６４】
なお上記の説明では、複数のユーザの年齢が同じであり、したがって、複数のユーザの等色関数は視距離によってのみ変化する場合を例に説明した。しかしながら、年齢のみが異なる場合や、年齢および視距離の両方が異なる場合であっても、同様の処理が行えることは明らかだろう。本実施形態においては、複数のユーザの等色関数が得られれば、その取得（決定）の方法は任意であって構わない。
【００６５】
また、本実施形態においても、第１の実施形態に対する変形と同様の変形を適用することもできる。
【００６６】
以上の説明は、本発明を例示により説明するものであり、本発明を限定するものではない。上記で説明した構成は、本発明の技術的思想の範囲内で種々の変形が可能である。
【符号の説明】
【００６７】
１００ 画像表示装置
１２０ バックライト制御部
１３０ ＲＧＢ−ＬＥＤ（Ａ）
１４０ ＲＧＢ−ＬＥＤ（Ｂ）
１５０ 液晶パネル
１６０ ユーザ情報入力部
１７０  データベース
１８０  分光制御部
【図１】
2014174361.tif 000008
【図２】
2014174361.tif 000009
【図３】
2014174361.tif 000010
【図４】
2014174361.tif 000011
【図５】
2014174361.tif 000012
【図６】
2014174361.tif 000013
【図７】
2014174361.tif 000014
【図８】
2014174361.tif 000015
【図９】
2014174361.tif 000016
【図１０】
2014174361.tif 000017
【図１１】
2014174361.tif 000018
【図１２】
2014174361.tif 000019